(57)【要約】      （修正有）【課題】丸太に複雑な加工を施すことなく容易に組立、分解、移動、再組立ての繰り返し使用することができる丸太柵および柵の構成要素の提供。【解決手段】少なくとも丸太２が挟まる間隔を有して対向する一対の平行した柱１を所要の間隔で設置させ、該一対の平行した柱１を少なくとも二組設けて、隣接する前記一対の平行した柱１との間に丸太材２を横置き姿勢で挟持させながら、隣接して交互に積み重ねる。丸太挿入筒を左右対称位置に対向させて、所定の間隔を保持した状態で両円筒軸を結ぶ線と平行に略矩形板状の連結縦板で連結するとともに、当該連結縦板の下端部中央に、所定長さのアンカーシャフトを設け、丸太柵の基礎または独立土台に安定して固定する手段を有する支持具を設ける。平行する円環の間隔を調整できる手段を介して連結する丸太材２の保持具を設ける。立体の底面中央部に略半球形状の凹曲部（窪み）を形成した独立土台を設ける。【選択図】図１
2008223466.tif 000002
【特許請求の範囲】
【請求項１】
少なくとも丸太が挟まる間隔を有して対向する一対の平行した柱を所要の間隔で設置させ、該一対の平行した柱を少なくとも二組設けて、隣接する前記一対の平行した柱との間に丸太材を横置き姿勢で挟持させながら、隣接して交互に積み重ねたことを特徴とする丸太柵。
【請求項２】
高い強度を有し、溶解して成型することが可能な材質によって一体成型にて形成されるものであって、円筒の上端部の一部を円筒内壁曲面に沿った略山形に、円筒の内壁面を一致させて延伸させた形状の丸太挿入筒を一対設け、当該丸太挿入筒を左右対称位置に対向させて、所定の間隔を保持した状態で両円筒軸を結ぶ線と平行に略矩形板状の連結縦板で連結するとともに、当該連結縦板の下端部中央に、所定長さのアンカーシャフトを設け、丸太柵の基礎または独立土台に安定して固定する手段を有することを特徴とした支柱丸太材の支持具。
【請求項３】
丸太柵の基礎または独立土台に請求項２の支柱丸太材の支持具を設けた請求項１に記載の丸太柵。
【請求項４】
少なくとも丸太が挟まる間隔を有して対向する一対の平行した円環を設け、該両円環の間隔を調整できる手段を介して連結する丸太材の保持具を設けた請求項１または請求項３に記載の丸太柵。
【請求項５】
木柵を設置するのに十分な大きさと重さを有する重量材で成る立体で、該立体の底面中央部に略半球形状の凹曲部（窪み）を形成したことを特徴とする独立土台。
【請求項６】
請求項５に記載した独立土台に請求項２に示す支柱丸太材の支持具を一体固着させて設けた請求項１、請求項３または請求項４に記載の丸太柵。
【発明の詳細な説明】
【技術分野】
【０００１】  本発明は、間伐材から作製された丸太材によって構成したフェンスである丸太柵に関するものである。詳しくは、丸太に切り欠きや凹凸等の複雑な加工を施さないで、誰でも容易に組み立て設置でき、また、分解撤去と再設置もできる丸太柵および柵の構成要素に関するものである。
【背景技術】
【０００２】  昨今は、資源の節約に関して樹林の伐採によって発生する間伐材の有効利用は大きな社会問題として全国的にも叫ばれている。一方住宅のフェンスなどにおいては、コンクリートブロックは地震災害からの観点から不安視されていて避けられる状況にある。そして、各種イベントや工事現場などに対する、臨時的な囲いや柵などは、簡単に組立て設置できると共に、不要となった場合には速やかに簡単に撤去できることが望まれてもいる。
一般に、設置が簡単な柵の種類においては主として木製、竹製、それらの混成などがある。しかしながら、木や竹は耐久性に難点があり、簡単である故に余りにも味気なく見苦しいものは、特にイベント会場などにおいては、そのイベント自体がみすぼらしくなるため、敬遠されているので、この兼ね合いが問題を複雑にしているのである。
そこで、間伐材である丸太材を使用してフェンス（塀）や柵を構築するのに、従来から行なわれているのは縄や針金で結束して面状に作られるが、これは手作業であるので、特定な技能を有する職人の手を要するばかりでなく、大変な手間と時間を必要とするものであった。また、木材で和風および洋風にマッチさせ、且つできるだけの高度な強度と耐久性を持たせるためには、材料の加工や施工が複雑となって、熟練した職人の作業により手間や時間を必要として、結果的には大変高価なものとなってしまうのである。
これらに関する先行技術には「丸太柵要素とその組立て工法」として、一定の長尺ボルトで丸太を並列に並べて貫通させて束ねたものを高ナットで締め付けて柵ユニットを連続的に接合して長尺な丸太柵を構築したものが開示されている。（例えば特許文献１参照。）
また、「丸太フェンス構造」として、一定の間隔で立てた支柱付き基礎コンクリートに該支柱より大きな開口部を設け、ジョイント部を上下に半カットした丸太と楔を交互に差し込んで組立て連結したものも開示されている。（例えば特許文献２参照。）
更に、丸太柵の支持具に関しては「木柵用支持具、及び木柵」として、横にした丸太を傾斜させて積み重ねられた状態で前後の枠のなかにはめて、それを支持する水平方向の枠と傾斜に向けた支持材でなるものも開示されている。（例えば特許文献３参照。）
しかしながら、前記文献１及び２のものにおいては、いずれも丸太に孔をあけたり、半カット等の加工を施さねばならず、丸太材の強度や耐久性が損なわれる欠点があり、また前記文献３のものは、確かに丸太には加工を施さなくてもよいが、この場合の支持具自体を地面にアンカー材等でしっかり固定しなければならないばかりでなく、枠材が略直角に延伸されていて、この枠の製作が困難で、嵩張るという、欠点や問題を有している。
【参考文献】
【特許文献１】  特開２００５−１８８０９０
【特許文献２】  特開２００４−１５０１０８
【特許文献３】  特開２００２−３７１５７２
【発明の開示】
【発明が解決しようとする課題】
【０００３】  上記のような欠点を除き問題を解決すると共に、従来から、丸太をそのまま利用して、どこにでも簡単に設置して、確実に固定できると共に、使用済みになれば、容易に移動して、再使用もできて、しかも安いコストのものを求める声も多く聞かれている。
これらの、多くの市場の要求にも応えようとするものである。
即ち、丸太に複雑な加工を施すことなく、嵩張らない簡単な構造で容易に組立て、分解、移動、再組立ての繰り返し使用することができる丸太柵および柵の構成要素を提供することである。
【課題を解決するための手段】
【０００４】  上記の課題を解決するために、本発明の丸太柵は、少なくとも丸太が挟まる間隔を有して対向する一対の平行した柱を所要の間隔で設置させ、該一対の平行した柱を少なくとも二組設けて、隣接する前記一対の平行した柱との間に丸太材を横置き姿勢で挟持させながら、隣接して交互に積み重ねたことである。【０００５】  また、高い強度を有し、溶解して成型することが可能な材質によって一体成型にて形成されるものであって、円筒の上端部の一部を円筒内壁曲面に沿った略山形に、円筒の内壁面を一致させて延伸させた形状の丸太挿入筒を一対設け、当該丸太挿入筒を左右対称位置に対向させて、所定の間隔を保持した状態で両円筒軸を結ぶ線と平行に略矩形板状の連結縦板で連結するとともに、当該連結縦板の下端部中央に、所定長さのアンカーシャフトを設け、丸太柵の基礎または独立土台に安定して固定する手段を有する支柱丸太材の支持具を設けることである。【０００６】  また、少なくとも丸太が挟まる間隔を有して対向する一対の平行した円環を設け、該両円環の間隔を調整できる手段を介して連結する丸太材の保持具を設けることである。【０００７】  更に、木柵を設置するのに十分な大きさと重さを有する重量材で成る立体で、該立体の底面中央部に略半球形状の凹曲部（窪み）を形成したことを特徴とする独立土台を設けると好ましい。
上記の柵の各構成要素を効果的に組み合わせて利用した丸太柵を設けることである。
【発明の効果】
【０００８】  以上のとおり、本発明によれば、丸太に溝や凹凸などの複雑な加工を施すことなく、少なくとも丸太が挟まる間隔を有して対向する一対の平行した柱を所要の間隔で設置させ、該一対の平行した柱を少なくとも二組設けて、隣接する前記一対の平行した柱との間に所定モジュールの丸太材を横置き姿勢で挟持させながら、隣接して交互に積み重ねたことによって、誰でも丸太柵の作製が容易にでき、丸みのある資材の持つ独自の柔らかさと自然な温かみを感じ、且つ自然な木目の資材を使用して、木目模様を楽しみ、心身共に癒されることができる。また、簡単に組み立て、不要となった時に簡単に分解して、再び必要に応じて組み立て設置、こうして繰り返し再利用することができる。従って、施工に要する時間も少なく、作業に熟練も必要としないので、安価に作成することができるばかりでなく、繰り返し再利用もできるので、極めて経済的である。
尚、イベントなど必要な場面に応じて、任意な色や柄などを施すことも可能である。【０００９】  結果的に丸太にする間伐材を大量に有効利用することができ、自然環境の改善に寄与することができる。【００１０】  更に、一定な間隔で隣接する柵を角度自在に設置できるので、複雑な地形の場所にも対応して、地形の境界輪郭にぴったりと沿った外観の優れた丸太柵の設置ができる。
そして、既に設置された柵にそのまま延長追加して囲いの領域を拡大したり、一部を取り除くことによって、縮小させるなど、変化させることも容易にできる。
また、横置き材の丸太の長さを変更して、３〜５種類ほどのものを各種組み合わせることによって、多数の変化のある独自に好まれるデザインの柵とすることもできる。【００１１】  また、高い強度の材質によって一体成型にて形成されるものであって、円筒の上端部の一部を円筒内壁曲面に沿った略山形に、円筒の内壁面を一致させて延伸させた形状の丸太挿入筒を一対設け、当該丸太挿入筒を左右対称位置に対向させて、所定の間隔を保持した状態で縦板で連結するとともに、当該連結縦板の下端部中央に、所定長さのアンカーシャフトを設け、丸太柵の基礎または独立土台に安定して固定する手段を有することによって、丸太材の柱をしっかりと固定でき、安全性を向上させることができるばかりでなく、作業の容易化を図り、作業能率を大きく向上させることができる。しかも、一体成型にて形成されるため、生産のための加工工程を必要としないばかりでなく、寸法精度が安定し、高い強度と相まって、極めて頑丈で優れた安全性と高い耐久性を長期間保有することができる。特に丈の高い柵での長い寸法の丸太柵に於いては、その効果の偉力を発揮する。【００１２】  さらに、少なくとも丸太が挟まる間隔を有して対向する一対の平行した円環を、前記間隔を調整できる手段を介して連結する丸太材の保持具を設けたことによって、丸太柵の上端や中間部においても、より一層丸太材の柱をしっかりと固定でき、特に横置き丸太の抜けや移動を防止して、安全性を向上させることができるばかりでなく、作業能率を極めて向上させることができる。【００１３】  そして、丸太柵を設置するのに十分な大きさと重さを有する重量材で成る立体で、該立体の底面中央部に略半球形状の凹曲部（窪み）を形成した独立土台を設けることによって、支柱丸太の基礎として、固定柵や仮設柵どちらにも簡単に設置できるので、特にイベント会場などにおける臨時的な囲いに対する柵としたり、工事用に用いる柵として、適宜移動させて設置することにより、繰り返し使用することができる。
更に、該独立土台に前記支柱支持具を埋没固定させることによって、より一層の作業能率の向上をすることができる。
【発明を実施するための最良の形態】
【００１４】  本発明の実施の形態について図面を参照して説明する。図１は本発明の第一の実施例を示す斜視図である。図１に示すように、１は支柱丸太で、２は横置き丸太である。
少なくとも所定モジュールの丸太が挟まる間隔を有して対向する一対の平行した柱である支柱丸太１を所要の間隔で設置させ、該一対の平行した支柱丸太１を図のように５組設けて、中央に描かれた、丸太が交差して隣接する部分（図中の交差部２１）と、両脇に描かれた、丸太が直線的に延長して隣接する部分（図中の重ね部２２）においては、前記一対の平行した柱との間に所定モジュールの丸太材を横置き姿勢で（横置き丸太２を）隣接して交互に積み重ねたことである。【００１５】  この場合、上記支柱丸太１と横置き丸太２の両丸太材は所定モジュールの芯材として、いずれも直径６０ｍｍ、５０ｍｍ、および４０ｍｍ程度とし、支柱丸太１は長さを、６０〜１８０ｃｍで段階的に数種類の設定をして、横置き丸太２の長さは、適宜切断することによっても用いられるので１８０〜２００ｃｍのものとするのが好ましい。
そして、前記両丸太１、２は木目を生かした、クレゾール液や、その他の防腐剤液を浸透させて防腐処理をしておく。これにより、当該丸太を柵として組み込んだ場合でも、経時的に曲がりや変形および割れが生じることも少ないばかりでなく、害虫などによる侵食を防止して、丸太の耐久性を著しく向上していることである。
前記支柱丸太１は地面上から地中に支柱の根元部１１を直接打ち込んで設置してもよいが、本実施例の図１に示すように、予め柵の設置境界部への基礎コンクリート３を形成しておいて、その基礎上面３１に（本実施例では図示していないが）支柱丸太１を直接植え込む（孔に填め込む）ことでもよい。こうした場合のほうが、設置した支柱丸太１が安定するとともに、長期間にわたって、垂直な支柱としての機能を確実に保持することができる。
従って、この基礎コンクリート３は、一時的な仮設の柵などの場合には省略することも可能である。【００１６】  更に、支柱丸太１を地面または基礎コンクリート３の所定位置に作業能率よく垂直に植え込むためには、図のように支柱丸太１の根元には（詳しく後述するが）少なくとも丸太が挟まる間隔を有して対向する一対の平行した金属の円筒を連結底板とアンカーシャフト等で構成された支持具４を用いて、予め設置境界部の地面や基礎コンクリート３の中に所要数を植え込み設置しておくと好ましい。勿論、これらも前述の仮設柵の場合などによっては省略することも可能である。【００１７】  更に加えて、柵を組み立てた後で、支柱丸太１および横置き丸太２を、より確実に強力に固定するためには、図のように支柱丸太１の上端付近には（詳しく後述するが）一対の金属の円環（短筒）と当該円環（短筒）の距離間隔を調整できるもので構成された保持具５を用いて、支柱丸太１と横置き丸太２を相互同時に締め付けておくと好ましい。また、柵の高さによっては、当該保持具を支柱丸太１の中間程度の高さ位置や適宜横置き丸太２の間に設置して、更に強固に固定することも、必要に応じて実施すれば好ましい。
更に、支柱丸太１の先端部１２を図のように円錐形にしておくと、洋風のイメージとすることもできる。
勿論、上記と反対に、これらも前述の仮設柵の場合などによっては省略することも可能である。【００１８】  図２は本発明である丸太柵の接合部の四つの各種パターンを示す説明図である。
図２において、（ａ）は横置き丸太が直角に交差する場合であり、一般的な設置場所の角部に最も多く用いられている。（ｂ）は横置き丸太が鋭角に交差する場合であり、（ｃ）は横置き丸太が鈍角に交差する場合であり、そして（ｄ）は横置き丸太が直線的に水平に近い僅かな角度で交差する場合である。これらの図で示すように、いずれの場合でも支柱丸太１は一対の対向した組み合わせになっていて、横置き丸太２を挟持している状態になる。そして、どの交差角においても横置き丸太２が支柱丸太１の位置から延伸して交差部２１を有し、相互に重なり合っていることが大きな特徴である。こうした柵の構築状態が丸太柵の最も美しい外観であるとともに、柵の組み立て強度的にも好ましいものとなる。横置き丸太２が重なり合った位置より延伸している距離は任意に設定してもよい。原則として、丸太柵の各角部においては、４本の支柱丸太１を至近距離で設置させているが、柵を直線的に延長する場合や、（ｄ）に示すような横置き丸太が水平に近い僅かな角度で交差する場合には支柱丸太を２本とする。【００１９】  以上の図２の（ａ）から（ｄ）を利用することによって、丸太柵を設置する地形が単純な矩形でなく、三角形や多角形などの角地を有する場合や隣接する建物や樹木など物件の関係によって、最適なものを組み合わせて用いることである。但し、どんな場合でも、横置き丸太２を支柱丸太１で挟み込むようにすることが必要である。
【実施例２】
【００２０】  図３は本発明の第二の実施例を示す斜視図である。
これらは丸太柵の横置き丸太２の左右端２３の切断部を直線的に一列にしないでバリエーションを変化させた場面の斜視図で（ａ）は波形模様を成し、（ｂ）は傾斜模様を成したものである。
図３（ａ）は同寸法の横置き丸太２を、組み込む時に、丸太の両端の位置を一定の距離を持たせて交互に設置させていくことにより、構築できる。
また、図３（ｂ）は同寸法の横置き丸太２を、組み込む時に、丸太の両端の位置を一定の距離だけ徐々にずらせ（オフセットさせて）交互に設置させることにより、構築できる。
このように横置き丸太の端部の揃え方によって、柵の面に波形模様や傾斜模様をつけることができるので、単調な丸太柵に変化をつけるのに効果的である。【００２１】  ここに示したものの他に、（カッコ）形（半円湾曲）や菱形などとしたり、更に横置き丸太２の先端形状を追加工することによって、各種の模様を個性的に付け楽しんだり、または図１で示すように、全ての支柱丸太１の上先端を円錐形に形成することによって、柵全体を洋風なイメージも醸し出すことができ、洋風建築物にピッタリとマッチさせることもできるのである。【００２２】  図４は本発明である丸太柵に用いる支柱丸太１の根元部１１固定用の支持具４を示す斜視図である。
例えば鋳鉄など金属類その他の、高い強度を有し、溶解して成型することが可能な材質によって一体成型にて形成して製作されるものであって、図４で示すように、支柱丸太１をはめ込むにはきつい寸法（丸太より僅かに小さな直径）の丸太挿入筒Ａ４１と丸太挿入筒Ｂ４２は円筒の上端部の一部を靴べら状の山形に、円筒の内壁面を一致させて延伸させた形状の補強へら部４１ａ、４２ｂを形成し、当該丸太挿入筒Ａ４１と丸太挿入筒Ｂ４２を対向させて、所定の間隔（対向する円筒内壁間の距離）としての、先述の三種類の丸太直径のモジュールである、６０ｍｍ、５０ｍｍ、および４０ｍｍの距離を保持した状態で両円筒軸を結ぶ線と平行に略矩形板状の連結縦板４３で連結しているとともに、当該連結縦板４３の下端部中央に、太さがフェンス用の鉄筋コンクリート用の鉄筋太さを越え、且つ、長さが前記円筒を超えるほどの、アンカーシャフト４４を形成し、合せて当該アンカーシャフト４４に一定の間隔で５個、アンカーシャフト４４の直径の２倍程度の径の円板状アンカーシャフト鍔４５を一体形成しているものである。【００２３】  前記の円筒の上端部の一部を靴べら状の山形に、円筒の内壁面を一致させて延伸させた形状の補強へら部４１ａ、４２ｂは挿入された支柱丸太１を両外側から補強する作用を有して、組み立てられた丸太柵を強固に安定させてガタツキを生じさせない大きな効果がある。
また、円筒部を短めにしたのは、組立作業を容易にして、能率を上げるためでもある。
また、前記アンカーシャフト４４は従来の鉄筋コンクリート用の鉄筋状のものでもよく、
上記アンカーシャフト鍔４５はアンカーシャフト４４を基礎コンクリート３や独立土台６への埋め込み（植え込み）を穴のモルタルとしっかりと噛合って、確実な固定ができる作用がある。従って、アンカーシャフト鍔４５の鍔補強リブ４６は、それらを補強補助しているものである。【００２４】  尚、型製造上や必要に応じて上記各円板状アンカーシャフト鍔４５を軸方向に連結する鍔補強リブ４６を一体形成して設ける。また、他の実施例として、図４のアンカーシャフト連結部４７においてネジにて、アンカーシャフトを分離式にすることもできる。
そして、前記略矩形板状の連結縦板４３の上端面は図のように円弧状に凹ませた凹端面４８にすると良い。これによって、最下部まで横置き丸太材を組み込むことができる。
さらに、必要に応じて前記丸太挿入筒Ａ４１と丸太挿入筒Ｂ４２の側壁中央付近または両円筒の延伸したへら部上端付近に丸太の抜け止め用ネジの止め孔４９を設けている。
これによって、より一層の支柱丸太１および２の強力な固定と安心感が得られる。【００２５】  当支持具４に支柱丸太１を組み付ける場合には、予め丸太を必要に応じて根元の外径を僅かに削りこんで、前記の各丸太挿入筒４１、４２に支柱丸太１を底部まで充分に填め込むことで、支柱丸太１の根元部１１がテーパーで締め付けられるので確実に固着されることとなる。経時的な丸太の痩せによって生じるガタを防止するため、必要に応じて止め孔４９からネジで固定を確実にする場合もある。【００２６】  また、連結底板４３には図に示すように、アンカーシャフト４４に一定の間隔で５個、アンカーシャフト４４の直径の２倍程度の径の円板状アンカーシャフト鍔４５を一体形成していることによって、支柱丸太１の支持具４をしっかり基礎コンクリート３に固定することができるので、組み立てられた丸太柵が極めて安定したものとなる。【００２７】  図５は本発明である丸太柵に用いる上部・中部固定用の保持具５を示す説明図であって、（ａ）は保持具の全体を示す斜視図で、（ｂ）は保持具の使用状態を示す組立状態図である。
図５（ａ）で示すように、支柱丸太１をはめ込む直径の短円筒状の円環Ａ５１と、同様の円環Ｂ５２を先述の支柱丸太１の一対の対向する間隔の距離を連結できる長さの接続長ナットＡ５３と同様の接続長ナットＢ５４が対称的に同心となる関係位置にそれぞれの円環５１、５２の高さ幅の略中央に溶接で固着されている。そして、それぞれの接続長ナット５３、５４には対称となるように雌の右ネジ、左ネジが所定深さで形成されていて、これらのネジに嵌合するボルトを両端に形成した中央部が板状の調整板ボルト５５で組み立て構成されているものである。【００２８】  図５（ｂ）で示すように、これを使用するときは、予め両円環５１、５２の大体の間隔距離を決めて、それぞれ左右からネジを嵌合させて調整板ボルト５５を組みつけておき、二本の支柱丸太１の上端からに、円環を貫通させるように差し込んで調整板ボルト５５を回すことによって、両円環の接続距離を調整して締め付けるのである。このとき調整板ボルト５５は中央部が水平の板状になった状態で止めることである。こうすることによって、図示するように重なり合った横置き丸太２の隙間を最小限にすることができ、外観に間が抜けた不快感を生じることが無くなる。
この調整によって、横置き丸太２を支柱丸太１のサイドから締め付け固定することになり、横置き丸太２の位置の移動や抜けの防止をしている。
また、前記接続長ナット５３、５４と調整板ボルト５５は剛性の高い薄板金属のバンドなどに代えることもできる。
尚、対向する支柱丸太の間隔が精度良く揃う場合には、当保持具は、極めて簡単に二つの円環を所定間隔にて連結したものとすることもできる。【００２９】  図６は本発明である丸太柵に用いる独立土台を示す説明図であって、図６の（ａ）は土台本体６１に支持具４のアンカーシャフト４４を植え込んである状態の一部を切り欠いた正面図で、（ｂ）は丸太柵の組立状態における地中に埋め込んでの独立土台の使用状態を示す全体の斜視図である。
この独立土台６は、木柵を設置するのに十分な大きさと重さを有する重量材で成る立体で、該立体の底面中央部に略半球形状の凹曲部（窪み）を形成したことを特徴としている。
図６（ａ）で示すように、上下の角が丸みを帯びた曲面で成る上面が下面より、少し大きめの略円柱状のコンクリートまたは各種の石材で土台本体６１が作成されている。この土台本体６１の大きさや重さは、設置する丸太柵の大きさや高さに対応して、適宜決めればよく、形状も略円柱に限らないで、立方形や長方形などでもよい。
土台本体１に先述の丸太用支持具４を上面の中央に設けた孔にモルタルで一体的に埋め込んで硬化させて、固着したものである。この土台本体６１はアンカーシャフト４４を埋没し、且つ重量的にも支持具４と支柱丸太１を安定的に保持するに十分な大きさとしてあり、更に土台本体６１の略円柱形の上角曲面６２と下角曲面６３を有すると共に、底外壁の中心には半球状の底中心凹部（窪み）６４が形成されている。この半球状の底中心凹部（窪み）６４も、前記のように設置する丸太柵の大きさや高さに対応して、適宜選定された土台本体６１に相似的に深さや大きさも最適な形状に変化させると好ましい。【００３０】  これを使用するときは、図６（ｂ）で示すように、例えば不整地であっても、地面に土台本体６１が上部の一部である図６（ａ）のｇｒｏｕｎｄ表示線までを残して、地中に収まるほどの略半球形の穴を掘って、その穴の底の中央には硬めの土や砂利が半球状の底中心凹部（窪み）６４に十分入って動きが固定されるようにすると効果的である。
特に、設置する丸太柵が仮設の場合などには、一度設置した後、容易に撤去したり、移動や再設置が繰り返しできるので、この独立土台６が大変便利である。【００３１】  図７は図６の独立土台の傾斜地での使用方法を示す説明である。
（ａ）は不整地の場合を示す図で、（ｂ）は傾斜したコンクリート地でのコンクリート面に垂直となる使用状態を示す図である。
図に示すように、特に傾斜している不正地の地面などに丸太柵の支柱を垂直や任意の角度に設定して構築する場合に優れた機能を発揮するものである。その理由は独立土台６の土台本体６１の底面中央に設けた半球状の底中心凹部（窪み）６４が半球形なので、二次元的に１８０度の領域を、容易にあらゆる方向の角度が微妙に調整することができる。【００３２】  これを使用する場合は、独立土台６を設置する位置に、予め独立土台６の底面に形成されている半球状の底中心凹部（窪み）６４の略直径の球粘土７１を作成したものを、表面を濡らしておいてから据え置いて、この底中心凹部（窪み）６４が球粘土７１をピッタリと収納するように乗せていく、そして、地面との間に挟まれて余分な粘土は底の周囲に押し出されて、安定した状態に維持される。その時に、円筒（支柱用）が垂直や希望する角度になっているかを確認して、その後に必要に応じて盛り土７２を周囲に補充して、より強固に設置させる。
尚、この球粘土７１は次に述べるモルタルの球でもよい。【００３３】  図７（ｂ）は傾斜コンクリート面に対して垂直に丸太柵の支柱を設置する場合であり、水平な面に任意の角度をもたせて丸太柵を設置することばかりでなく、傾斜面においても垂直は勿論、任意の角度の丸太柵を容易に能率良く設置することができる。
また、図示していないが丸太柵の設置面の状態や整地の程度をも問題視することなく、平面な場所に垂直な支柱や傾斜させた支柱、そして傾斜面の場所にも垂直な支柱や傾斜させた支柱をと、任意に各種の地形や地面の状態にでも丸太柵を設置することが可能となる。
【図面の簡単な説明】
【００３４】
【図１】本発明の第一の実施例を示す斜視図である。
【図２】本発明である丸太柵の接合部の各種パターンを示す説明図である。
【図３】本発明の第二の実施例を示す斜視図である。
【図４】本発明である丸太柵に用いる支柱根元部固定用の支持具を示す斜視図である。
【図５】本発明である丸太柵に用いる支柱先端・中部固定用の保持具を示す説明図である。
【図６】本発明である丸太柵に用いる独立土台を示す説明図である。
【図７】図６の独立土台の傾斜地での使用方法を示す説明である。
【符号の説明】
【００３３】１      支柱丸太
１１    根元部
１２    先端部
２      横置き丸太
２１    交差部
２２    重ね部
２３    左右端
３      基礎コンクリート
３１    基礎上面
４      支持具
４１    丸太挿入筒Ａ
４１ａ  補強へら部
４２    丸太挿入筒Ｂ
４２ｂ  補強へら部
４３    連結縦板
４４    アンカーシャフト
４５    アンカーシャフト鍔
４６    鍔リブ
４７    アンカーシャフト連結部
４８    凹端面
４９    止め孔
５      保持具
５１    円環Ａ
５２    円環Ｂ
５３    接続長ナットＡ
５４    接続長ナットＢ
５５    調整板ボルト
５６    円環スリット
６      独立土台
６１    土台本体
６２    上角曲面
６３    底角曲面
６４    底中心凹部（窪み）
７      傾斜不整地
７１    球粘土
７２    盛り土
８      傾斜コンクリート面
８１    球モルタル
８２    盛コンクリート
【図１】
2008223466.tif 000003
【図２】
2008223466.tif 000004
【図３】
2008223466.tif 000005
【図４】
2008223466.tif 000006
【図５】
2008223466.tif 000007
【図６】
2008223466.tif 000008
【図７】
2008223466.tif 000009